(57)【特許請求の範囲】
【請求項１】
内面に溝を有する左右の縦桟と上下の横桟との各端部を結合して方形の枠を形成し、この枠内に、左右方向または上下方向を向く１個または複数個の中間桟を架設し、中間桟の上下または左右の側面に形成した溝と、前記縦桟及び横桟の溝とにより形成される方形のパネル嵌合溝に複数の単位パネルを嵌合したパネル構造において、
前記中間桟を、一方の溝の底部を形成する溝底片と、その前後いずれかの縁に連設され、両溝の前後いずれかの立ち上がり縁を形成するパネル保持片とからなる同一形状の前及び後の中間桟片により形成し、前及び後の中間桟片を、両溝底片同士とパネル保持片同士とが互いに対向する点対称の位置になるように組み合わせて配置し、かつ各パネル保持片の両端に直角に折り返して形成した取付片を、縦桟または横桟にねじ止めすることにより、前及び後の中間桟片を、互いに独立して、それぞれが別々に弾性変形するように、縦桟または横桟に取り付けたことを特徴とするパネル構造。
【請求項２】
前及び後の中間桟片のパネル保持片を、断面ほぼＣ字状とした請求項１記載のパネル構造。
【請求項３】
各単位パネルをガラス板とした請求項１または２記載のパネル構造。
【発明の詳細な説明】
【０００１】
【発明の属する技術分野】
本発明は、複数のガラス板等の単位パネルを枠内に嵌合したパネル構造に関し、特に、その中間桟の構造とその取り付け手段に関する。
【０００２】
【従来の技術】
従来、パネル枠にガラス板のようなパネル材を取り付けるには、パネル枠の対向する内面に設けた溝の一方、例えば上の横桟の内面に設けた溝に、若干斜めにしたパネル材の上縁を限度いっぱいに嵌め入れ、ついで、このパネル材を垂直姿勢として、その下縁を、対向する他方の溝、例えば下の横桟の内面に設けた溝に落とし込むことにより行っていた。
【０００３】
このようにすることにより、パネル枠の内寸プラス下の横桟の溝の深さを若干上回る寸法としたパネル材は、上の横桟の溝を利用することにより下の横桟をかわして垂直姿勢とすることができ、その状態で落とし込むことにより、パネル材は上下の横桟の溝により保持されるようになる。
【０００４】
パネル枠に中間桟がある場合でも、この中間桟に設けた溝を利用して同様な手法で単位パネルが取り付けられる。
【０００５】
【発明が解決しようとする課題】
上述のような従来の取り付け手段では、ガラス板のようなパネル材を一旦上の溝に入れてから、垂直姿勢として下の溝に落とし込むというデリケートで面倒な作業を必要とし、かつ、取り付けたパネル材にがたつきが生じたり、特に、中間桟を縦桟に溶接する場合に、溶接時の歪みにより、取り付けたガラス板等にねじれが生じ、割れる原因ともなっている。
【０００６】
本発明は、上述の問題点に鑑み、中間桟を設けたパネル枠に、複数のガラス板のような単位パネルを簡単に取り付けたり、交換したりすることができ、しかも破損しにくいパネル構造を提供することを目的としている。
【０００７】
【課題を解決するための手段】
本発明によると、上記課題は、次のようにして解決される。
(１) 内面に溝を有する左右の縦桟と上下の横桟との各端部を結合して方形の枠を形成し、この枠内に、左右方向または上下方向を向く１個または複数個の中間桟を架設し、中間桟の上下または左右の側面に形成した溝と、前記縦桟及び横桟の溝とにより形成される方形のパネル嵌合溝に複数の単位パネルを嵌合したパネル構造において、前記中間桟を、一方の溝の底部を形成する溝底片と、その前後いずれかの縁に連設され、両溝の前後いずれかの立ち上がり縁を形成するパネル保持片とからなる同一形状の前及び後の中間桟片により形成し、前及び後の中間桟片を、両溝底片同士とパネル保持片同士とが互いに対向する点対称の位置になるように組み合わせて配置し、かつ各パネル保持片の両端に直角に折り返して形成した取付片を、縦桟または横桟にねじ止めすることにより、前及び後の中間桟片を、互いに独立して、それぞれが別々に弾性変形するように、縦桟または横桟に取り付ける。
【０００８】
(２) 上記(１)項において、前及び後の中間桟片のパネル保持片を、断面ほぼＣ字状とする。
【０００９】
(３) 上記(１)または(２)項において、各単位パネルをガラス板とする。
【００１０】
【発明の実施の形態】
図１は、本発明のパネル構造の１実施形態を備えたパネル(Ａ)の正面図である。
パネル(Ａ)は、上下の横桟(１)(２)、左右の縦桟(３)(４)、及び中間桟(５)からなり、上下の横桟(１)(２)の内面には、それぞれ、単位パネルの厚さに見合う幅の溝(６)(７)が設けられており、左右の縦桟(３)(４)の内面には、それぞれ同様な溝(８)(９)が設けられている。
【００１１】
図２及び図３に示すように、各中間桟(５)は、同一断面形状の２個の中間桟片(10)(11)とからなっている。前後の中間桟片(10)(11)は、それぞれ、単位パネルの厚さに見合う幅の溝の底部を形成する溝底片(10a)(11a)と、その一方の縁に連設され、溝の立ち上がり縁を形成する断面ほぼＣ字状のパネル保持片(10b)(11b)とからなっている。
【００１２】
また、パネル保持片(10b)(11b)の左右両端部は、直角に折り返されて取付片(12)を形成している。取付片(12)には、取付孔(またはねじ孔)(13)が穿設されている。
【００１３】
図２に示すように、前後の中間桟片(10)(11)は、両溝底片(10a)(11a)同士及び両パネル保持片(10b)(11b)同士がそれぞれ互いに対向して点対称の位置になるように組み合わせて配置し、図１に示すようにそれぞれの両端において、取付片(12)を縦桟(３)(４)に、取付孔(13)を利用してねじ止めされる。
【００１４】
このパネル構造の組み立てを説明すると、まず横桟(１)(２)および縦桟(３)(４)の各端部を直角に接合して、方形の枠を形成する。
【００１５】
次いで、図４に示すように、下方の横桟(２)の溝(７)に１枚のガラス板等の単位パネル(14)の下端を垂直に嵌め込み、この単位パネル(14)の上端に、後の中間桟片(10)の底溝片(10a)を当接させて載せ、この中間桟片(10)の両端の取付片(12)（図３参照）を縦桟(８)(９)にねじ止めする。なお、単位パネル(14)を嵌め込む前に、後の中間桟片(10)を縦桟(８)(９)にねじ止めしておいてもよい。また、単位パネル(14)の左右方向の幅は、両縦桟(３)(４)の内寸よりわずかに小としておき、従来と同様に、単位パネル(14)の装着の前後いずれかに、縦桟(３)(４)の溝(８)(９)に、シール材(図示略)を嵌合する。
【００１６】
続いて、このように固定した後の中間桟片(10)に重ねて、前の中間桟片(11)を、互いに対向する点対称の位置に配置して、その取付片(12)を同様に縦桟(３)(４)にねじ止めすれば、中間桟(５)が完成するとともに、単位パネル(14)の上端部は、中間桟(５)の立ち上がり縁で保持され、脱落することはなくなる。
【００１７】
このような作業を複数枚の単位パネル(14)について繰り返した後、一番上の単位パネル(14)は、その下端に前の中間桟片(11)を宛いながら、その上端を上の横桟(１)の溝(６)に差し入れる。この単位パネル(14)を垂直の姿勢にした状態で、前の中間桟片(11)の左右両端の取付片(12)を縦桟(３)(４)にねじ止めすれば、組み立てが完了する。
【００１８】
なお、上述の実施形態では、単位パネル(14)を横桟(１)(２)の溝(６)(７)及び横方向に延びる中間桟(５)の溝に嵌め込むものであったが、単位パネル(14)を、縦桟(３)(４)の溝(８)(９)及び縦方向に延びる中間桟の溝に嵌め込むこともできる。
さらに、単位パネル(14)は、ガラス板ではなく、透明、半透明、不透明のアクリル板や、その他のパネルとしてもよい。
【００１９】
【発明の効果】
請求項１記載の発明によると、単位パネルの取り付け及び交換が容易となるばかりか、前及び後の中間桟片を異なる配色とすることが可能となり、パネルのバリエーションを広げることができる。さらに、前及び後の中間桟片が、互いに独立し、それぞれが別々に弾性変形するため、単位パネル、特にガラス板、に無理な力が作用せず、破損しにくくなる。また、構成が簡素化されて、部品点数が減り、安価となる。
【００２０】
請求項２記載の発明によると、中間桟の剛性を高めるとともに、単位パネルの縁部を保持する立ち上がり縁を、体裁よく、無理なく形成することができる。
【００２１】
請求項３記載の発明によると、割れやすく重量のある単位パネルを確実に保持することができる。
【図面の簡単な説明】
【図１】本発明のパネル構造の一実施形態を採用したパネルの正面図である。
【図２】図１のII-II線に沿う拡大端面図である。
【図３】中間桟の、一部を省略して示す分解斜視図である。
【図４】パネルの、一部を省略して示す拡大縦断側面図である。
【符号の説明】
(Ａ)パネル
(１)(２)横桟
(３)(４)縦桟
(５)中間桟
(６)(７)(８)(９)溝
(10)(11)中間桟片
(10a)(11a)溝底片
(10b)(11b)パネル保持片
(12)取付片
(13)取付孔
(14)単位パネル
【図１】
0004392958.tif 000002
【図２】
0004392958.tif 000003
【図３】
0004392958.tif 000004
【図４】
0004392958.tif 000005